(57)【要約】【課題】税率変更の前後で予約商品の価格を適切に出力する。【解決手段】実施形態の販売データ処理装置は、選択手段と、読込手段と、表示出力手段とを備える。選択手段は、予約商品を代金引換で受け取る受取日を選択する。読込手段は、前記受取日が税率変更日よりも前であれば、税率変更日より前の受取に適用される第１予約商品マスタから予約商品の価格を読み込み、前記受取日が税率変更日以降であれば、税率変更日以降の受取に適用される第２予約商品マスタから予約商品の価格を読み込む。表示出力手段は、前記読込手段が前記第１予約商品マスタまたは前記第２予約商品マスタから読み込んだ前記価格を表示出力する。【選択図】図６
2020030856.tif 000002
【特許請求の範囲】
【請求項１】
予約商品を代金引換で受け取る受取日を選択する選択手段と、
前記受取日が税率変更日よりも前であれば、税率変更日より前の受取に適用される第１予約商品マスタから予約商品の価格を読み込み、前記受取日が税率変更日以降であれば、税率変更日以降の受取に適用される第２予約商品マスタから予約商品の価格を読み込む読込手段と、
前記読込手段が前記第１予約商品マスタまたは前記第２予約商品マスタから読み込んだ前記価格を表示出力する表示出力手段と、
を備えた販売データ処理装置。
【請求項２】
前記画面から少なくとも１つの予約商品の選択を受付ける受付手段と、
選択された前記予約商品について前記読込手段が読み込んだ前記価格を、予約内容を示す予約票に印字出力する印字制御手段と、
を更に備えた請求項１に記載の販売データ処理装置。
【請求項３】
前記第１予約商品マスタは、旧税率に基づいて前記予約商品の税込価格を記憶し、
前記第２予約商品マスタは、新税率に基づいて前記予約商品の税込価格を記憶し、
前記表示出力手段は、予約商品の予約を受付ける画面において、前記受取日ごとに予約商品を表示し、前記読込手段が読み込んだ前記税込価格を各予約商品に対応付けて表示する、
請求項１または２に記載の販売データ処理装置。
【請求項４】
前記第１予約商品マスタは旧税率を、前記第２予約商品マスタは新税率を更に記憶しており、
前記読込手段は、前記受取日が税率変更日よりも前であれば前記第１予約商品マスタから旧税率を読み込み、前記受取日が税率変更日以降であれば前記第２予約商品マスタから新税率を読み込み、
前記表示出力手段は、前記予約商品に適用される税率を表示出力する、
請求項１ないし３のいずれか１つに記載の販売データ処理装置。
【請求項５】
前記表示出力手段は、税率変更日以降に前記予約商品の価格が変化することを表示報知する、請求項１ないし４のいずれか１つに記載の販売データ処理装置。
【請求項６】
販売データ処理装置においてコンピュータを、
予約商品を代金引換で受け取る受取日を選択する選択手段と、
前記受取日が税率変更日よりも前であれば、税率変更日より前の受取に適用される第１予約商品マスタから予約商品の価格を読み込み、前記受取日が税率変更日以降であれば、税率変更日以降の受取に適用される第２予約商品マスタから予約商品の価格を読み込む読込手段と、
前記読込手段が前記第１予約商品マスタまたは前記第２予約商品マスタから読み込んだ前記価格を表示出力する表示出力手段と、
として機能させるためのプログラム。
【発明の詳細な説明】
【技術分野】
【０００１】
本発明の実施形態は、販売データ処理装置およびプログラムに関する。
【背景技術】
【０００２】
従来、コンビニエンスストア等では、チケットや図書、ＣＤ、ＤＶＤ、弁当等の予約販売が行われている。予約販売では一般的に、レジカウンタのＰＯＳ（Point  Of  Sale）端末にて予約受付を行い、予約した商品名や商品価格を記した予約票を発行して客に手渡す。例えばＰＯＳ端末は予約商品を選択するための選択画面に商品名、商品の税込価格等の商品情報を表示出力し、選択を受付けた商品について予約を受けた旨の予約票を印字出力する。
【０００３】
このような予約販売では代金引換方式が多く用いられており、客は商品を受け取る際に代金を支払う。従って、消費税増額等の税率変更に際しては、受取日が税率変更日より前か後かによって適用税率を切替える必要がある。即ち、受取日が税率変更日前であれば旧税率を適用した税込価格を表示し、受取日が税率変更日以降であれば新税率を適用した税込価格を表示する必要がある。また、税率変更前後で価格設定を変更したいという要望もあり、このような場合に適切に価格出力を行えることが望まれている。
【発明の概要】
【発明が解決しようとする課題】
【０００４】
本発明が解決しようとする課題は、税率変更の前後で予約商品の価格を適切に出力できる販売データ処理装置およびプログラムを提供することである。
【課題を解決するための手段】
【０００５】
実施形態の販売データ処理装置は、選択手段と、読込手段と、表示出力手段とを備える。選択手段は、予約商品を代金引換で受け取る受取日を選択する。読込手段は、前記受取日が税率変更日よりも前であれば、税率変更日より前の受取に適用される第１予約商品マスタから予約商品の価格を読み込み、前記受取日が税率変更日以降であれば、税率変更日以降の受取に適用される第２予約商品マスタから予約商品の価格を読み込む。表示出力手段は、前記読込手段が前記第１予約商品マスタまたは前記第２予約商品マスタから読み込んだ前記価格を表示出力する。
【図面の簡単な説明】
【０００６】
【図１】図１は、本実施形態に係る予約販売システムの概略構成図である。
【図２】図２は、本部サーバのハードウェア構成を示すブロック図である。
【図３】図３は、予約商品マスタ（旧税率）のデータ構成例を示す図である。
【図４】図４は、予約商品マスタ（新税率）のデータ構成例を示す図である。
【図５】図５は、ＰＯＳ端末の機能構成を示すブロック図である。
【図６】図６は、ＰＯＳ端末が実行する予約処理の手順を示すフローチャートである。
【図７】図７は、受取日が税率変更日前である場合の選択画面の一例を示す図である。
【図８】図８は、店員用表示器に表示した予約受付画面の一例を示す図である。
【図９】図９は、客用表示器に表示した予約受付画面の一例を示す図である。
【図１０】図１０は、受取日が税率変更前の場合の予約票の印字例を示す図である。
【図１１】図１１は、受取日が税率変更日以降である場合の選択画面の一例を示す図である。
【図１２】図１２は、店員用表示器に表示した予約受付画面の一例を示す図である。
【図１３】図１３は、客用表示器に表示した予約受付画面の一例を示す図である。
【図１４】図１４は、受取日が税率変更日以降の場合の予約票の印字例を示す図である。
【図１５】図１５は、税率変更に関する注意喚起を表示した画面例を示す図である。
【発明を実施するための形態】
【０００７】
図１は、本実施形態に係る予約販売システム１００の概略構成図である。店舗サーバ４は、店舗（例えば店舗ａ〜ｃ）に設けられたサーバ装置である。ＰＯＳ端末１は、同店舗における売上データを登録する販売データ処理装置である。また、ＰＯＳ端末１は、予約商品の予約申し込みを受付けて、本部サーバ９に予約登録に関する情報を送信する。本部サーバ９は、複数の店舗での売上や在庫管理、予約管理等を統括するサーバである。尚、図１では複数台のＰＯＳ端末１が店舗サーバ４に接続されて使用される例について示しているが、店舗において用いられるＰＯＳ端末１の台数は特に限定されず、１台であってもよい。尚、以下では、複数の図面に示される同様の構成について同一符号を付して示し、重複する説明を省略する場合がある。
【０００８】
次に、本部サーバ９について説明する。図２は、本部サーバ９のハードウェア構成を示すブロック図である。本部サーバ９は、ＣＰＵ、ＲＯＭ、ＲＡＭ等で構成されるコンピュータ構成の制御部９１を備えている。また、制御部９１にはバス９２及びＩ／Ｏ機器制御部９４を介して、キーボード９５、表示器９６、プリンタ９７及びＨＤＤ（Hard  Disk  Drive）９８が接続されている。
【０００９】
制御部９１は、通信Ｉ／Ｆ（Interface）９３及び専用回線８を介して店舗サーバ４との間でデータ通信を行う。ＨＤＤ９８には、制御部９１のＣＰＵを動作させる各種制御プログラムの他、一般商品マスタ９８１、予約商品マスタ（旧税率）９８２、予約商品マスタ（新税率）９８３、予約販売ファイル９８４等が格納されている。以降では、予約商品マスタ（旧税率）９８２、予約商品マスタ（新税率）９８３をそれぞれ予約商品マスタ９８２、予約商品マスタ９８３ということとする。
【００１０】
一般商品マスタ９８１は、予約商品ではない一般商品に関する商品情報を格納するマスタファイルである。一般商品マスタ９８１には、商品コードに対応付けて各一般商品の商品名、商品価格、商品画像等の商品情報が格納されている。
【００１１】
予約商品マスタ９８２及び予約商品マスタ９８３は、予約商品に関する商品情報を格納するマスタファイルである。図３は、予約商品マスタ９８２のデータ構成例を示す図であり、図４は、予約商品マスタ９８３のデータ構成例を示す図である。図３、図４に例示するように、予約商品マスタ９８２及び予約商品マスタ９８３には、商品コード、商品名、税込価格、税区分、この商品を受け取ることができる受取日および商品画像の格納場所を示す情報などが格納されている。また、商品に適用される税区分としては、予約商品マスタ９８２には旧税率（例えば５％）が登録され、予約商品マスタ９８３には新税率（例えば８％）が登録されている。
【００１２】
一般商品マスタ９８１、予約商品マスタ９８２、予約商品マスタ９８３は、主に本部サーバ９において管理される。本部サーバ９は、所定時間ごと（例えば１日１回）あるいはデータ更新時等に、店舗サーバ４を介してＰＯＳ端末１に対し、最新の一般商品マスタ９８１、予約商品マスタ９８２、９８３を送信する。
【００１３】
次に、ＰＯＳ端末１について説明する。図５は、ＰＯＳ端末１の機能構成を示すブロック図である。ＰＯＳ端末１は、ＣＰＵ、ＲＯＭ、ＲＡＭ等で構成されるコンピュータ構成の制御部１１を備えている。また、制御部１１にはバス１２及びＩ／Ｏ機器制御部１４を介して、キーボード１５、スキャナ１６、店員用表示器１７、客用表示器１８、プリンタ１９及びＨＤＤ２０が接続されている。
【００１４】
制御部１１は、通信Ｉ／Ｆ１３及びＬＡＮ（Local  Area  Network）３等を介して店舗サーバ４との間でデータ通信を行う。ＨＤＤ２０には、制御部１１のＣＰＵを動作させる各種制御プログラム等が格納されている。また、ＨＤＤ２０には、上述のように本部サーバ９からダウンロードされた一般商品マスタ１８１、予約商品マスタ（旧税率）１８２、予約商品マスタ（新税率）１８３等が格納される。
【００１５】
上述のように、予約商品マスタ１８２（第１予約商品マスタ）は、旧税率に基づいて予約商品の税込価格および税率を記憶している。また、予約商品マスタ１８３（第２予約商品マスタ）は、新税率に基づいて予約商品の税込価格および税率を記憶している。以降では、予約商品マスタ（旧税率）１８２、予約商品マスタ（新税率）１８３をそれぞれ予約商品マスタ１８２、予約商品マスタ１８３ということとする。
【００１６】
また、ＨＤＤ２０には売上ファイル１８４が格納されている。売上ファイル１８４には、ＰＯＳ端末１で売上登録された売上データ等が格納される。
【００１７】
次に、制御部１１が有する各部の機能構成について説明する。本実施形態のＰＯＳ端末１で実行されるプログラムは、図５に示すように、入力受付部５１、読込部５２、登録部５３、表示制御部５４、印字制御部５５を含むモジュール構成となっている。実際のハードウェアとしてはＣＰＵ（プロセッサ）が記憶媒体から本実施形態のプログラムを読み出して実行することにより上記各部が主記憶装置上にロードされ、入力受付部５１、読込部５２、登録部５３、表示制御部５４、印字制御部５５が主記憶装置上に生成される。
【００１８】
なお、本実施形態のＰＯＳ端末１で実行されるプログラムは、ＲＯＭ或いはＨＤＤ２０等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００１９】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００２０】
入力受付部５１は、キーボード１５、スキャナ１６等に対する入力操作に応じて各種入力操作を受付ける。例えば入力受付部５１は、予約商品の受取日の選択入力を受付ける。即ち、入力受付部５１は、予約商品を代金引換で受け取る受取日を選択する選択手段として機能する。
【００２１】
読込部５２および登録部５３の機能については、予約商品ではない一般商品の登録と、予約商品の登録処理とに分けて説明する。
【００２２】
・一般商品の登録
読込部５２は、予約商品ではない一般商品について入力受付部５１が受付けた情報等に基づき、一般商品マスタ１８１から商品情報を読み込む。登録部５３は、読み込まれた商品情報等に基づいた売上データを、売上ファイル１８４に登録する。
【００２３】
・予約商品の登録
読込部５２は、予約商品の受取日に応じて予約商品マスタ１８２、１８３のいずれか一方から予約商品の税込価格を読み込む。即ち、読込部５２は、受取日が税率変更日よりも前であれば、少なくとも予約商品の税込価格または旧税率を含む商品データを予約商品マスタ１８２から読み込む。また、読込部５２は、受取日が税率変更日以降であれば、少なくとも予約商品の税込価格または新税率を含む商品データを予約商品マスタ１８３から読み込む。登録部５３は、入力受付部５１が受付けた情報等に基づく予約データを本部サーバ９に送信して、当該データを予約販売ファイル９８４に登録する。
【００２４】
表示制御部５４は、店員用表示器１７、客用表示器１８における表示動作全般を制御する。例えば表示制御部５４は、予約商品を選択するための選択画面６１（図７）、６２（図１１）を表示する。尚、表示制御部５４は、選択画面６１、６２において、受取日ごとに予約商品を表示する。また、表示制御部５４は、選択画面６１、６２において選択された商品の商品情報を表示し、予約受付の確認を得るための予約受付画面７１（図８）、８１（図９）、７２（図１２）、８２（図１３）を表示する。
【００２５】
また、表示制御部５４は、受取日が税率変更日前であれば、読込部５２が旧税率の予約商品マスタ１８２から読み込んだ商品データを選択画面６１、予約受付画面７１、８２に表示する。また、表示制御部５４は、受取日が税率変更日以降であれば、読込部５２が新税率の予約商品マスタ１８３から読み込んだ商品データを選択画面６２、予約受付画面７２、８２に表示する。
【００２６】
これにより、受取日が税率変更日前であれば、上記各画面には旧税率の税率、税込価格が表示される。また、受取日が税率変更日以降であれば、上記各画面には新税率の税率、税込価格が表示される。従って、オペレータあるいは客は、予約商品に適用される税率や税額、合計金額等を確認することができる。
【００２７】
印字制御部５５は、プリンタ１９における印字動作を制御し、レシートの印刷処理、および、予約内容を示す予約票の印刷処理を行う。また、印字制御部５５は、予約票に読込部５２が読み込んだ税込価格を印字出力する。また、印字制御部５５は、予約票に、予約商品の代金支払時に適用される税率を印字出力する。
【００２８】
次に、ＰＯＳ端末１が実行する予約処理について、処理手順の一例を図６を用いて説明する。図６は、ＰＯＳ端末が実行する予約処理の手順を示すフローチャートである。
【００２９】
入力受付部５１は、上述した選択画面から、商品の受取日の選択を受付ける（ステップＳ１）。読込部５２は、受取日が税率変更日以降か否かを判定する（ステップＳ２）。
【００３０】
受取日が税率変更日よりも前である場合（ステップＳ２：Ｎｏ）、読込部５２は、旧税率の予約商品マスタ１８２から、ステップＳ１で受付けた受取日に該当する予約商品の商品データを読み込む（ステップＳ３）。そして、表示制御部５４は、読み込んだ商品データに基づき、選択画面に旧税率の税込価格等の商品データを表示する（ステップＳ４）。
【００３１】
図７は、受取日が税率変更日前である場合の選択画面６１の一例を示す図である。選択画面６１には、ステップＳ１で選択された受取日（受取希望日）が表示される。尚、同画面において、入力受付部５１は受取日の選択操作を再度受付けることができる。受取日の変更を受付けると、表示制御部５４は、変更後の受取日に該当する予約商品を表示させる。
【００３２】
図７に示すように、選択画面６１にはサブメニューが表示され、サブメニューのうち１つを選択すると、当該サブメニューに該当する予約商品を選択するための選択ボタンが表示される。図７では、弁当Ａの選択ボタンと、弁当Ｂの選択ボタンが表示された例を示す。表示制御部５４は、該商品の商品データとして、旧税率の予約商品マスタ１８２から読み込んだ商品名、税込価格、税率等を選択画面６１に表示する。
【００３３】
次に、入力受付部５１は、選択画面６１において商品の選択操作、ならびに個数の入力操作を受付ける（ステップＳ７：Ｙｅｓ）。尚、入力を受付けない間（ステップＳ７：Ｎｏ）は入力待ちをする。表示制御部５４は、選択された商品、ならびに予約個数を示す予約受付画面７１（図８参照）を店員用表示器１７に表示する（ステップＳ８）。また、表示制御部５４は、客向けの予約受付画面８１（図９参照）を客用表示器１８に表示する（ステップＳ８）。
【００３４】
図８は、店員用表示器１７に表示した予約受付画面７１の一例を示す図である。店員用の予約受付画面７１には、選択された商品の商品データとして、商品名、税率、数量、税込金額の小計、合計個数、税込金額の合計金額が表示される。また、予約受付画面７１には表示された内容で予約を確定するための確認ボタン７１１が表示される。商品データは旧税率の予約商品マスタ１８２から読み込まれるので、予約受付画面７１には旧税率の税込金額や税率が表示される。
【００３５】
図９は、客用表示器１８に表示した予約受付画面８１の一例を示す図である。客用の予約受付画面８１には、選択された商品について、商品名とともに商品画像が表示される。尚、図９では、商品名に個数のみを添えて表示する例を示したが、画面構成はこれに限定されない。例えば、それぞれの商品画像に税込金額の小計金額や、税率を添えて表示してもよい。また、客用の予約受付画面８１には、「お渡し日時」として、受取日および時間が表示される。さらに、客用の予約受付画面８１には、この取引の合計金額として、税込金額の合計金額が表示され、適用された税率（旧税率）が併せて表示される。
【００３６】
そして、店員用の予約受付画面７１（図８参照）において、確認ボタン７１１が選択されると（ステップＳ９：Ｙｅｓ）、入力受付部５１はその入力データ（予約データ）に基づく予約を受付ける（ステップＳ１０）。登録部５３は、予約受付画面７１において受付けた予約データを本部サーバ９に出力し、登録処理を行う（ステップＳ１０）。尚、確認ボタン７１１が選択されない間（ステップＳ９：Ｎｏ）はその選択待ちをする（ステップＳ９）。そして予約登録が完了すると（ステップＳ１０）、印字制御部５５はプリンタ１９により予約票（図１０参照）を印字出力する（ステップＳ１１）。
【００３７】
図１０は、受取日が税率変更前の場合の予約票４１の印字例を示す図である。図１０に示すように、予約票４１には、受取日（お渡し日時）、商品名、税込みの商品単価、合計金額、税率（旧税率）、税額の合計等が印字される。尚、図１０では各商品を１個ずつ予約した例を示したが、複数個予約した場合には、予約の個数も印字される。
【００３８】
一方、受取日が税率変更日以降である場合（ステップＳ２：Ｙｅｓ）、読込部５２は、新税率の予約商品マスタ１８３から、ステップＳ１で受付けた受取日に該当する予約商品の商品データを読み込む（ステップＳ５）。そして、表示制御部５４は、読み込んだ商品データに基づき、選択画面６２（図１１参照）に新税率の税込価格等の商品データを表示する（ステップＳ６）。
【００３９】
図１１は、受取日が税率変更日以降である場合の選択画面６２の一例を示す図である。図１１に示すように、表示制御部５４は、新税率の予約商品マスタ１８３から、受取日に該当する商品の商品データを読み込んで表示する。従って、選択画面６２には、新税率による税込価格、税率が表示される。その他の画面構成は図７の選択画面６１と同様である。
【００４０】
次に、入力受付部５１は、ステップＳ６で表示した選択画面６２において、商品の選択操作、ならびに個数の入力操作を受付ける（ステップＳ７：Ｙｅｓ）。表示制御部５４は、選択された商品、ならびに予約個数を示す予約受付画面７２（図１２参照）を店員用表示器１７に表示する（ステップＳ８）。また、表示制御部５４は、客用表示器１８に客向けの予約受付画面８２（図１３参照）を表示する（ステップＳ８）。
【００４１】
図１２は、店員用表示器１７に表示した予約受付画面７２の一例を示す図である。表示制御部５４は、新税率の予約商品マスタ１８３から読み込んだ商品データ、選択画面６２における入力データ等に基づき、商品名、税率（新税率）、数量、小計金額（税込み）、合計個数、合計金額（税込み）等を表示する。その他の画面構成は図８の予約受付画面７１と同様である。
【００４２】
図１３は、客用表示器１８に表示した予約受付画面８２の一例を示す図である。表示制御部５４は、新税率の予約商品マスタ１８３から読み込んだ商品データ、選択画面６２（図１１参照）における入力データ等に基づき、商品名、商品画像、税率（新税率）、数量、小計金額（税込み）、合計個数、合計金額（税込み）等を表示する。その他の画面構成は図９の予約受付画面８１と同様である。
【００４３】
そして、店員用の予約受付画面７２（図１２参照）において、確認ボタン７２１が選択されると（ステップＳ９：Ｙｅｓ）、登録部５３は上述と同様に予約の受付および登録を行う（ステップＳ１０）。そして、予約登録が完了すると、印字制御部５５はプリンタ１９により予約票４２（図１４参照）を印字出力する（ステップＳ１１）。
【００４４】
図１４は、受取日が税率変更日以降の場合の予約票４２の印字例を示す図である。図１４に示すように、予約票４２には、受取日（お渡し日時）、商品名、税込みの商品単価、合計金額、税率（新税率）、税額の合計等が印字される。その他の構成は図１０の予約票４１と同様である。
【００４５】
尚、画面における表示出力、予約票における印字出力は、上述した例に限定されない。例えば、画面表示や印字出力によって、税率変更に関する注意喚起を行ってもよい。
【００４６】
図１５は、税率変更に関する注意喚起を表示した画面例を示す図である。例えば、書籍やＣＤ、ＤＶＤ等の予約購入の場合、受取日はそれら商品の販売開始日となるが、弁当等の食品の受取とは異なり、販売開始日に受け取る必要性は少ない。
【００４７】
従って、客が自らの都合にあわせて受取日以降に商品を受け取り、支払を行うことが一般的である。それゆえ、受取日（販売開始日）が税率変更前であるにも関わらず、商品受取が税率変更日以降となる場合がある。すると、税込金額が予約票に印字された金額と異なってしまい、税率が上がる際には支払い金額が増加してしまう。このような事態に備え、予約受付画面や予約票において注意喚起のメッセージを出力して、客に税率変更を報知してもよい。
【００４８】
なおこの場合に、受取日が税率変更以降であれば、指定した受取日より遅くなろうと税込金額は変わらないから、表示内容、印字内容に齟齬は生じない。そこで、受取日が税率変更日前である取引に限って、上述したような注意喚起を行ってもよい。
【００４９】
従来、予約商品ではない一般商品については、本部サーバ９が１日１回程度のペースで、一般商品マスタ９８１を更新する。そして、ＰＯＳ端末１はこれをダウンロードして一般商品マスタ１８１を更新する。従って、一般商品については、税率変更の際に、税率変更日以降の一般商品マスタ９８１において全品の税率を一律に変更すればよい。ＰＯＳ端末１も、税率変更があっても、従来通り一般商品マスタ１８１に基づいて、税率や税込金額の表示および印字を行えばよい。従って、一般商品については、税率変更に伴う表示出力、印字出力の変更は特に困難ではない。
【００５０】
一方、代金引換で販売される予約商品については、その支払が商品受取日となる。従って、受取日に応じて支払額（税込価格）が変わることとなる。これに対し、受取日ごとの予約商品マスタを全てＰＯＳ端末１に格納しておくとなると、メモリ容量が膨大となり経済的ではない。このように、予約商品に関しては、受取日に応じて適切な税率を適用するために、従来の一般商品と同様のマスタ構成ならびに処理方法を用いることが妥当とは言い難かった。
【００５１】
そこで本実施形態では、日付ごと、すなわち、受取日ごとに多数の予約商品マスタを準備するのではなく、旧税率、新税率それぞれの予約商品マスタを２つだけ準備し、受取日と、税率変更日とを比較してマスタデータを選択利用する形態とした。これにより、本実施形態では、税率変更日を挟んで適切な税率を適用して出力する際に、マスタデータを格納するためのメモリ使用量を節約することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
例えば、キヨスク端末やセルフチェックアウト端末などの他の情報処理装置において、上記実施形態を適用してもよい。また、ネットスーパー等のＷｅｂページを提供するサーバに上記実施形態を適用してもよい。
【００５４】
また、上述では、税込価格や税率の表示を切替える例について説明したが、本実施形態はこれに限定されるものではない。即ち、本実施形態は、税込あるいは税抜に関わらず、適用される商品価格を税率変更前後で切替えたい場合に、受取日に応じてデータ読取元の予約商品マスタを切替えて選択することができる。
【００５５】
具体的には、第１予約商品マスタには、税率変更日より前の受取に適用される商品価格を格納しておく。第２予約商品マスタには、税率変更日以降の受取に適用される商品価格を格納しておく。尚、商品価格としては、税抜価格あるいは税込価格のいずれでもよい。読込部５２は、予約商品の受取日が税率変更日より前であれば、第１予約商品マスタからマスタデータを読み込み、受取日が税率変更日以降でれば第２予約商品マスタからマスタデータを読み込む。これにより、各画面および予約票において税率変更日前後で商品価格を切替えて出力することができる。
【００５６】
また、上述では、ＰＯＳ端末１において上記表示出力を行うとしたが、表示出力先は特に限定されない。例えば、上記内容の表示データを携帯電話やスマートフォン等の携帯情報端末に送信し、当該端末のディスプレイにて上記表示出力を行ってもよい。また、予約票と同様の内容を示す表示データを携帯情報端末に送信し、当該携帯情報端末において表示出力させてもよい。
【００５７】
以上説明したとおり、上記実施形態によれば、予約商品の受取日に応じて予約商品マスタを切替えてマスタデータを読み込む。従って、受取日に応じて価格を切替えて出力することができ、税率変更の前後で予約商品の価格を適切に出力できる。
【符号の説明】
【００５８】
１…ＰＯＳ端末、４…店舗サーバ、９…本部サーバ、１１…制御部、１７…店員用表示器、１８…客用表示器、５１…入力受付部、５２…読込部、５３…登録部、５４…表示制御部、５５…印字制御部、６１、６２…選択画面、７１、７２、８１、８２、８３…予約受付画面、４１、４２…予約票、１００…予約販売システム、１８２、１８３…予約商品マスタ。
【先行技術文献】
【特許文献】
【００５９】
【特許文献１】特開平５−１４３８６３号公報
【図１】
2020030856.tif 000003
【図２】
2020030856.tif 000004
【図３】
2020030856.tif 000005
【図４】
2020030856.tif 000006
【図５】
2020030856.tif 000007
【図６】
2020030856.tif 000008
【図７】
2020030856.tif 000009
【図８】
2020030856.tif 000010
【図９】
2020030856.tif 000011
【図１０】
2020030856.tif 000012
【図１１】
2020030856.tif 000013
【図１２】
2020030856.tif 000014
【図１３】
2020030856.tif 000015
【図１４】
2020030856.tif 000016
【図１５】
2020030856.tif 000017
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
予約商品を代金引換で受け取ることができる受取日を選択する選択手段と、
前記予約商品を受け取る日が税率変更日よりも前であれば、税率変更日より前の受取に適用される第１予約商品マスタから予約商品の価格を読み込み、前記受け取る日が税率変更日以降であれば、税率変更日以降の受取に適用される第２予約商品マスタから予約商品の価格を読み込む読込手段と、
前記選択された受取日が前記税率変更日より前であって前記受取日に受け取る必要がない予約商品については、当該予約商品を受け取る日が前記税率変更日以降になると前記税率変更日以降の受取に適用される価格となることを示すメッセージを前記予約商品に係る予約票に印字出力する印字制御手段と、
を備えた販売データ処理装置。
【請求項２】
前記読込手段が前記第１予約商品マスタまたは前記第２予約商品マスタから読み込んだ
前記価格を表示出力する表示出力手段、をさらに備えた、
請求項１に記載の販売データ処理装置。
【請求項３】
前記読込手段は、前記受取日が税率変更日よりも前であれば前記第１予約商品マスタから商品データを読み込み、前記受取日が税率変更日以降であれば前記第２予約商品マスタから商品データを読み込み、
前記表示出力手段は、前記読込手段が前記第１予約商品マスタまたは前記第２予約商品マスタから読み込んだ商品データを、前記予約商品を選択する選択画面に表示し、
前記選択画面から少なくとも１つの前記予約商品の選択を受付ける受付手段、をさらに備えた、
請求項２に記載の販売データ処理装置。
【請求項４】
前記第１予約商品マスタは、旧税率に基づいて前記予約商品の税込価格を記憶し、
前記第２予約商品マスタは、新税率に基づいて前記予約商品の税込価格を記憶し、
前記表示出力手段は、前記読込手段が読み込んだ前記税込価格を各予約商品に対応付けて表示する、
請求項２または３に記載の販売データ処理装置。
【請求項５】
販売データ処理装置としてのコンピュータを、
予約商品を代金引換で受け取ることができる受取日を選択する選択手段と、
前記予約商品を受け取る日が税率変更日よりも前であれば、税率変更日より前の受取に適用される第１予約商品マスタから予約商品の価格を読み込み、前記受け取る日が税率変更日以降であれば、税率変更日以降の受取に適用される第２予約商品マスタから予約商品の価格を読み込む読込手段と、
前記選択された受取日が前記税率変更日より前であって前記受取日に受け取る必要がない予約商品については、当該予約商品を受け取る日が前記税率変更日以降になると前記税率変更日以降の受取に適用される価格となることを示すメッセージを前記予約商品に係る予約票に印字出力する印字制御手段と、
して機能させるためのプログラム。
【手続補正２】
【補正対象書類名】明細書
【補正対象項目名】０００５
【補正方法】変更
【補正の内容】
【０００５】
実施形態の販売データ処理装置は、予約商品を代金引換で受け取ることができる受取日を選択する選択手段と、前記予約商品を受け取る日が税率変更日よりも前であれば、税率変更日より前の受取に適用される第１予約商品マスタから予約商品の価格を読み込み、前記受け取る日が税率変更日以降であれば、税率変更日以降の受取に適用される第２予約商品マスタから予約商品の価格を読み込む読込手段と、前記選択された受取日が前記税率変更日より前であって前記受取日に受け取る必要がない予約商品については、当該予約商品を受け取る日が前記税率変更日以降になると前記税率変更日以降の受取に適用される価格となることを示すメッセージを前記予約商品に係る予約票に印字出力する印字制御手段と、を備える。